(57)【要約】      （修正有）【課題】アジア人に適合する上顎弓矯正部及び下顎弓矯正部構造を有する歯牙矯正用弧線を提供する。【解決手段】上顎弓矯正部及び下顎弓矯正部を有する歯牙矯正用弧線は、上顎弓矯正部が、次式を満たす構造を有し、Ｙ＝ａ１（ｂ１ｘ＋ｂ１−ｘ）＋ｃ１（１）下顎弓矯正部が、次式を満たす構造を有す。Ｙ＝ａ２（ｂ２ｘ＋ｂ２−ｘ）＋ｃ２（２）［式（１）において、ａ１は−０．２８〜−０．２３であり、ｂ１は２．１０〜２．７０であり、ｃ１は４．５０〜４．６０であり、ｘは−５．００〜５．００であり、式（２）において、ａ２は−０．５０〜−０．３４であり、ｂ２は２．１０〜２．２７であり、ｃ２は４．５０〜４．８０であり、ｘは、−５．００〜５．００である。］【選択図】図２
2011131055.tif 000002
【特許請求の範囲】
【請求項１】
上顎弓矯正部及び下顎弓矯正部を有する歯牙矯正用弧線であって、
前記上顎弓矯正部は、次式を満たす構造を有し、
Ｙ=ａ１（ｂ１ｘ+ｂ１−ｘ）+ｃ１        （１）
前記下顎弓矯正部は、次式を満たす構造を有し、
Ｙ=ａ２（ｂ２ｘ+ｂ２−ｘ）+ｃ２        （２）
前記式（１）において、
ａ１は、−０．２８〜−０．２３であり、
ｂ１は、２．１０〜２．７０であり、
ｃ１は、４．５０〜４．６０であり、
ｘは、−５．００〜５．００であり、
前記式（２）において、
ａ２は、−０．５０〜−０．３４であり、
ｂ２は、２．１０〜２．２７であり、
ｃ２は、４．５０〜４．８０であり、
ｘは、−５．００〜５．００である
ことを特徴とする歯牙矯正用弧線。
【請求項２】
前記式（１）において、
ａ１は、−０．２３であり、
ｂ１は、２．７０であり、
ｃ１は、４．５０である
ことを特徴とする請求項１に記載の歯牙矯正用弧線。
【請求項３】
前記式（１）において、
ａ１は、−０．２８であり、 
ｂ１は、２．１０であり、
ｃ１は、４．６０である
ことを特徴とする請求項１に記載の歯牙矯正用弧線。
【請求項４】
前記式（２）において、
ａ２は、−０．５０であり、
ｂ２は、２．２７であり、
ｃ２は、４．８０である
ことを特徴とする請求項１に記載の歯牙矯正用弧線。
【請求項５】
前記式（２）において、
ａ２は、−０．３４であり、
ｂ２は、２．１０であり、
ｃ２は、４．５０である
ことを特徴とする請求項１に記載の歯牙矯正用弧線。
【請求項６】
上顎弓矯正部及び下顎弓矯正部を有する歯牙矯正用弧線であって、
前記上顎弓矯正部は、次式を満たす構造を有し、
Ｙ≧−０．２３（２．７０ｘ+２．７０−ｘ）+４．５０      （３）
；及び
Ｙ≦−０．２３（２．７０ｘ+２．７０−ｘ）+４．６０      （４）
前記下顎弓矯正部は、次式を満たす構造を有することを特徴とする歯牙矯正用弧線。
Ｙ≧−０．５０（２．２７ｘ+２．２７−ｘ）+４．８０      （５）
；及び
Ｙ≦−０．３４（２．１０ｘ+２．１０−ｘ）+４．６０      （６）
【請求項７】
上顎弓矯正部及び下顎弓矯正部を有する歯牙矯正用弧線の製作方法であって、
前記上顎弓矯正部は、次式を満たす構造を有し、
Ｙ=ａ１（ｂ１ｘ+ｂ１−ｘ）+ｃ１        （７）
前記下顎弓矯正部は、次式を満たす構造を有し、
Ｙ=ａ２（ｂ２ｘ+ｂ２−ｘ）+ｃ２        （８）
前記式（７）において、
ａ１は、−０．２８〜−０．２３であり、
ｂ１は、２．１０〜２．７０であり、
ｃ１は、４．５０〜４．６０であり、
ｘは、−５．００〜５．００であり、
前記式（８）において、
ａ２は、−０．５０〜−０．３４であり、
ｂ２は、２．１０〜２．２７であり、
ｃ２は、４．５０〜４．８０であり、
ｘは、−５．００〜５．００である
ことを特徴とする歯牙矯正用弧線の製作方法。
【請求項８】
前記式（７）において、
ａ１は、−０．２３であり、
ｂ１は、２．７０であり、
ｃ１は、４．５０である
ことを特徴とする請求項７に記載の歯牙矯正用弧線の製作方法。
【請求項９】
前記式（７）において、
ａ１は、−０．２８であり、 
ｂ１は、２．１０であり、
ｃ１は、４．６０である
ことを特徴とする請求項７に記載の歯牙矯正用弧線の製作方法。
【請求項１０】
前記式（８）において、
ａ２は、−０．５０であり、
ｂ２は、２．２７であり、
ｃ２は、４．８０である
ことを特徴とする請求項７に記載の歯牙矯正用弧線の製作方法。
【請求項１１】
前記式（８）において、
ａ２は、−０．３４であり、
ｂ２は、２．１０であり、
ｃ２は、４．５０である
ことを特徴とする請求項７に記載の歯牙矯正用弧線の製作方法。
【請求項１２】
上顎弓矯正部及び下顎弓矯正部を有する歯牙矯正用弧線の製作方法であって、
前記上顎弓矯正部は、次式を満たす構造を有し、
Ｙ≧−０．２３（２．７０ｘ+２．７０−ｘ）+４．５０      （９）
；及び
Ｙ≦−０．２３（２．７０ｘ+２．７０−ｘ）+４．６０      （１０）
前記下顎弓矯正部は、次式を満たす構造を有することを特徴とする歯牙矯正用弧線の製作方法。
Ｙ≧−０．５０（２．２７ｘ+２．２７−ｘ）+４．８０      （１１）
；及び
Ｙ≦−０．３４（２．１０ｘ+２．１０−ｘ）+４．６０      （１２）
【発明の詳細な説明】
【技術分野】
【０００１】
本発明は、アジア人に適合する歯牙矯正用弧線及びその製作方法に関する。
【背景技術】
【０００２】
歯牙矯正治療は、容貌美化と機能回復を目的として行われる。機能回復とは、人の骨格係（筋肉、骨格、顎関節）と調和をなす適切な歯牙の噛み合いを実現することである。適切な歯牙の噛み合いを実現するためには、各個人が有している顎弓（Ａｒｃｈｆｏｒｍ）に適合する歯牙矯正治療を行う必要がある。
【０００３】
各個人に適合する顎弓の形態は、機能的な歯牙の噛み合いや歯牙矯正治療後の安全性に重要な影響を与える。しかしながら、現在、歯牙矯正治療に使用される歯牙矯正用弧線は、西洋人を基準として製作されたものである。
【０００４】
ここで、西洋人とアジア人との顎弓の差異に関する論文（Ａｍ  Ｊ  Ｏｒｔｈｏｄ  Ｄｅｎｏｆａｃｉａｌ  Ｏｒｔｈｏｐ  ２００４；  １２６：６８０−４）が発表されたことがある。また、本発明者が治療した患者から選択した２００人の顎弓を研究した結果、アジア人に西洋人を基準として製作された歯牙矯正用弧線を使用した場合、歯牙の噛み合いや治療後の安全性が良くない問題点があった。
【発明の概要】
【発明が解決しようとする課題】
【０００５】
本発明は、このような従来技術の問題点を解決するために工夫したものであり、アジア人に適合する上顎弓矯正部及び下顎弓矯正部を有する歯牙矯正用弧線を提供することを課題とする。
【０００６】
また、本発明は、アジア人に適合する上顎弓矯正部及び下顎弓矯正部を有する歯牙矯正用弧線の製作方法を提供することを他の課題とする。
【課題を解決するための手段】
【０００７】
（１）上記課題を解決するための本発明の一つの特徴に従った歯牙矯正用弧線は、
上顎弓矯正部及び下顎弓矯正部を有し、
前記上顎弓矯正部は、次式を満たす構造を有し、
Ｙ=ａ１（ｂ１ｘ+ｂ１−ｘ）+ｃ１        （１）
前記下顎弓矯正部は、次式を満たす構造を有し、
Ｙ=ａ２（ｂ２ｘ+ｂ２−ｘ）+ｃ２        （２）
前記式（１）において、
ａ１は、−０．２８〜−０．２３であり、
ｂ１は、２．１０〜２．７０であり、
ｃ１は、４．５０〜４．６０であり、
ｘは、−５．００〜５．００であり、
前記式（２）において、
ａ２は、−０．５０〜−０．３４であり、
ｂ２は、２．１０〜２．２７であり、
ｃ２は、４．５０〜４．８０であり、
ｘは、−５．００〜５．００である。
【０００８】
（２）本発明の他の特徴に従った歯牙矯正用弧線は、
前記式（１）において、
ａ１は、−０．２３であり、
ｂ１は、２．７０であり、
ｃ１は、４．５０である。
【０００９】
（３）本発明の更に他の特徴に従った歯牙矯正用弧線は、
前記式（１）において、
ａ１は、−０．２８であり、 
ｂ１は、２．１０であり、
ｃ１は、４．６０である。
【００１０】
（４）本発明の更に他の特徴に従った歯牙矯正用弧線は、
前記式（２）において、
ａ２は、−０．５０であり、
ｂ２は、２．２７であり、
ｃ２は、４．８０である。
【００１１】
（５）本発明の更に他の特徴に従った歯牙矯正用弧線は、
前記式（２）において、
ａ２は、−０．３４であり、
ｂ２は、２．１０であり、
ｃ２は、４．５０である。
【００１２】
（６）本発明の更に他の特徴に従った歯牙矯正用弧線は、
上顎弓矯正部及び下顎弓矯正部を有し、
前記上顎弓矯正部は、次式を満たす構造を有し、
Ｙ≧−０．２３（２．７０ｘ+２．７０−ｘ）+４．５０      （３）
；及び
Ｙ≦−０．２３（２．７０ｘ+２．７０−ｘ）+４．６０      （４）
前記下顎弓矯正部は、次式を満たす構造を有する。
【００１３】
Ｙ≧−０．５０（２．２７ｘ+２．２７−ｘ）+４．８０      （５）
；及び
Ｙ≦−０．３４（２．１０ｘ+２．１０−ｘ）+４．６０      （６）
ここで、上記式（３）及び式（４）は、上顎弓矯正部の範囲を上限と下限によって示すものであり、一般式である上記式（１）に含まれる。
【００１４】
また、上記式（５）及び式（６）は、下顎弓矯正部の範囲を上限と下限によって示すものであり、一般式である上記式（２）に含まれる。
【００１５】
（７）本発明の一つの特徴に従った歯牙矯正用弧線の製作方法は、
歯牙矯正用弧線は、上顎弓矯正部及び下顎弓矯正部を有し、
前記上顎弓矯正部は、次式を満たす構造を有し、
Ｙ=ａ１（ｂ１ｘ+ｂ１−ｘ）+ｃ１      （７）
前記下顎弓矯正部は、次式を満たす構造を有し、
Ｙ=ａ２（ｂ２ｘ+ｂ２−ｘ）+ｃ２      （８）
前記式（７）において、
ａ１は、−０．３０〜−０．２１であり、
ｂ１は、２．００〜２．８０であり、
ｃ１は、４．３０〜４．８０であり、
ｘは、−５．００〜５．００であり、
前記式（８）において、
ａ２は、−０．５２〜−０．３２であり、
ｂ２は、２．００〜２．４０であり、
ｃ２は、４．３０〜５．００であり、
ｘは、−５．００〜５．００である。
【００１６】
（８）本発明の他の特徴に従った歯牙矯正用弧線の製作方法は、
歯牙矯正用弧線は、上顎弓矯正部及び下顎弓矯正部を有し、
前記上顎弓矯正部は、次式を満たす構造を有し、
Ｙ≧−０．２３（２．７０ｘ+２．７０−ｘ）+４．５０      （９）
；及び
Ｙ≦−０．２３（２．７０ｘ+２．７０−ｘ）+４．６０      （１０）
前記下顎弓矯正部は、次式を満たす構造を有する。
【００１７】
Ｙ≧−０．５０（２．２７ｘ+２．２７−ｘ）+４．８０      （１１）
；及び
Ｙ≦−０．３４（２．１０ｘ+２．１０−ｘ）+４．６０      （１２）
【発明の効果】
【００１８】
本発明に従った歯牙矯正用弧線は、アジア人の顎弓に適合し、従来の歯牙矯正用弧線に比べ、歯牙の噛み合いや歯牙矯正治療後治療の安全性が優れる。
【図面の簡単な説明】
【００１９】
【図１】図１は、西洋人の顎弓及びアジア人の顎弓を示す図である。
【図２】図２は、本発明に従った実施形態における上顎弓矯正部を示す図である。
【図３】図３は、本発明に従った実施形態における下顎弓矯正部を示す図である。
【図４】図４は、本発明に従った歯牙矯正用弧線の使用前後における患者の歯牙状態の印象を取って製作した石膏模型の写真である。
【発明を実施するための形態】
【００２０】
以下、本発明の構成要素と技術的特徴を次の実施形態によって詳細に説明する。しかし、本発明は、以下の実施形態に限定されず、本発明の技術分野に属する通常の知識を有する者であれば、本発明の範囲及び要旨を外れずに種々の変形及び変更が可能である。また、本発明で引用された文献の全内容を本願に参照として援用する。
【００２１】
実施例１：アジア人の顎弓構造に関する数学式の導出
本発明者が治療した患者から選択した２００人（キムフンバルンイ歯科）の顎弓を調査した結果、現在、歯牙矯正に使用される歯牙矯正用弧線は、アジア人の顎弓と差異があった。
【００２２】
図１において、左側は上顎弓を示し、右側は下顎弓を示す。また、Ａは、上記２００人の患者の顎弓を調査した結果を示し、Ｂは、現在、使用される西洋人を基準とした歯牙矯正用弧線を示す。図示されたように、アジア人と西洋人との顎弓の範囲が異なる。
【００２３】
このような問題点を解決するために、本発明者は、上記２００人の患者の顎弓を調査し、アジア人に適合する顎弓の構造を示す数学式を次のように導出した。
【００２４】
＜上顎弓矯正部の構造に関する数学式＞
Ｙ=ａ１（ｂ１ｘ+ｂ１−ｘ）+ｃ１      （１３）
＜下顎弓矯正部の構造に関する数学式＞
Ｙ=ａ２（ｂ２ｘ+ｂ２−ｘ）+ｃ２      （１４）
この場合、上記式（１３）において、
ａ１は、−０．２８〜−０．２３であり、
ｂ１は、２．１０〜２．７０であり、
ｃ１は、４．５０〜４．６０であり、
ｘは、−５．００〜５．００であり、
上記式（１４）において、
ａ２は、−０．５０〜−０．３４であり、
ｂ２は、２．１０〜２．２７であり、
ｃ２は、４．５０〜４．８０であり、
ｘは、−５．００〜５．００である。
【００２５】
本発明に従った一つの実施形態では、上記式（１３）において、
ａ１は、−０．２３であり、
ｂ１は、２．７０であり、
ｃ１は、４．５０である。
【００２６】
本発明に従った他の実施形態では、上記式（１３）において、
ａ１は、−０．２８であり、
ｂ１は、２．１０であり、
ｃ１は、４．６０である。
【００２７】
上記数値を上記式（１３）に代入し得た上顎弓矯正部の構造を図２に示す。
【００２８】
本発明に従った一つの実施形態では、上記式（１４）において、
ａ２は、−０．５０であり、
ｂ２は、２．２７であり、
ｃ２は、４．８０である。 
本発明に従った他の実施形態では、上記式（１４）において、
ａ２は、−０．３４であり、
ｂ２は、２．１０であり、
ｃ２は、４．５０である。
【００２９】
上記数値を上記式（１４）に代入し得た下顎弓矯正部の構造を図３に示す。
【００３０】
実施例２：本発明に従った歯牙矯正用弧線を使用した歯牙矯正治療
実施例１において導出したアジア人の顎弓の構造に従って製作された歯牙矯正用弧線を患者の歯牙矯正に使用した結果を図４に示す。
【００３１】
図４において、上段の３枚の写真は、歯牙矯正治療前、患者の歯牙状態の印象を取った石膏模型を示す。図示されたように、上顎弓が狭く、下顎との噛み合いが悪い。
【００３２】
図４において、中間の３枚の写真は、患者の正常な顎弓形態を考慮し製作したセットアップ模型を示し、歯牙矯正治療の目標である。
【００３３】
図４において、下端の３枚の写真は、本発明の顎弓の構造に従って製作された歯牙矯正用弧線による治療後、患者の歯牙状態の印象を取った石膏模型を示す。図示されたように、上顎と下顎との噛み合いが改善された。
【００３４】
実施例３：従来と本発明との歯牙矯正用弧線の效果の比較
従来の歯牙矯正用弧線は、一般的に西洋人を基準としたから、アジア人の顎弓に適合せず、歯牙の噛み合いや歯牙矯正後の安全性に問題点があった。
【００３５】
従来の歯牙矯正用弧線と本発明に従った歯牙矯正用弧線をアジア人患者の約５００人（キムフンバルンイ歯科）に使用した結果を次の表に示す。
【００３６】
【表１】
2011131055.tif 000003
アジア人に西洋人の顎弓を基準とした歯牙矯正用弧線を使用した場合に比べ、本発明のようにアジア人の顎弓を基準とした矯正用弧線を使用した結果、次のような効果があった。
【００３７】
１）歯牙の噛み合いが良くなるのに必要な期間が約３〜４ヶ月短縮した。
【００３８】
２）舌がある側から見た場合、歯牙の噛み合いがより緻密になった。
【００３９】
３）歯牙矯正治療後、約６ヶ月〜２年間観察した結果、治療效果を長く維持し、安全性が優れた。
【００４０】
４）その他
ボーダーライン症例の場合、抜歯をせず、治療できるようになる。
【００４１】
歯牙の噛み合いが緻密になるので、患者の正面から見た場合美的で優れる。
【００４２】
顎が動く時、奥歯における早期接触がなくなり、顎関節がより楽になる。
【００４３】
上記表１に示されたように、本発明の歯牙矯正用弧線は、アジア人の顎弓に適合し、従来の歯牙矯正用弧線に比べ、治療效果が優れることが確認された。
【００４４】
以上、例示的な実施形態を参照し本発明を説明したが、本発明の技術分野に属する通常の知識を有する者であれば、本発明の範囲及び要旨を外れず、種々の変形及び変更が可能である。また、本発明が以上の発明を実施するための最良の形態に限定されないことは自明である。
【図１】
2011131055.tif 000004
【図２】
2011131055.tif 000005
【図３】
2011131055.tif 000006
【図４】
2011131055.tif 000007